(57)【要約】      （修正有）【課題】木造建築において木部の乾燥により、使用されているほぞ穴のボルト・ナットの緩みを解決する【解決手段】ぜんまいバネ９によってナット１０の緩みを自動的に締める。更にほぞ穴用保持枠により、取り付けが簡単に且つ安全に作業できるようになった。【選択図】図４
2020029952.tif 000002
【特許請求の範囲】
【請求項１】
ぜんまいバネの先端を長めのナットの下部に固着し、固着した反対の尾端を木材と固着できるよう半円状に曲げる。
突っ張り板とボルトでテコの原理を利用して、バネをナットの反締め込み方向に付勢した状態で拘束すると共に分割又は開閉によって拘束を解除できる保持枠と保持枠を拘束状態に固定すると共に施工時に、固定を解除する仮止め部とから成ることを特徴とするほぞ穴用ナット増し締め装置。
【請求項２】
請求項１において、保持枠は長めの筒型でぜんまいバネの尾端を通す切欠きを有す。
保持枠は少なくとも周上の２点で切り離され、切り離し部分において保持枠の両端部上部に夫々穴をあけた突出部を有し、突っ張り板を介しテコの原理で突出部相互を連結固定し、施工時に連結を解除又は緩めることができる仮止め部から成ることを特徴とするほぞ穴用ナット増し締め装置。
【発明の詳細な説明】
【技術分野】
【０００１】  本発明は、木造建築における構造物の締結部分などの様に、年月の経過とともに緩みを生じる締結ボルト・ナットを自動的に増し締めする装置に関する。
従来より木造建築物は、建築ボルト・ナットを使用して木材を締結するが、如何に充分締め付けてあっても年月が経過するにつれて緩んでくる。
木材は乾燥し、繊維組織が収縮してボルトのナットが素手で回せるほどにガタガタに緩んだ状態となり、ボルト・ナットで締め付けた効果が弱まることが避けられない。
この様な不都合を解消すべく自動的に半永久的に締め続ける増し締めの装置が待望されていた。
【発明の概要】
【発明が解決しようとする課題】従来の技術の場合、建築物の外壁はモルタル仕上げの為、ボルトが出ていてもモルタルの厚みで塗りつぶされていた。近年は外壁が貼り物ばかりでボルトが出ていたら邪魔になる為、ほぞ穴をあけてボルトが出ないようにしている。
前々回出願の特許１７３４８０６号の物では対応できない様になった。
そこで今回はその全てを解決する物を紹介するものである。
【課題を解決する為の手段】
保持枠は長めの筒型でぜんまいバネの尾端を通す切欠きを有す。
保持枠は少なくとも周上２点で切り離され、切り離し部分において保持枠の両端部、上部に夫々穴をあけた突出部を有し、突っ張り板を介しテコの原理で突出部相互を連結固定し、施工時に連結を解除又は緩めることができる仮止め部から成ることを特徴とするほぞ穴用ナット増し締め装置。
又、請求項１においてぜんまいバネの先端を長めのナットの下部に固着し、固着した反対の尾端を木材と固着できるよう半円状に曲げる。
突っ張り板とボルトでテコの原理を利用してバネをナットの反締め込み方向に付勢した状態で拘束するとともに分割又は開閉によって拘束を解除できる保持枠と保持枠を拘束状態に固定すると共に施工時に、固定を解除できる仮止め部とから成ることを特徴とするほぞ穴用ナット増し締め装置。
【発明の実地の形状】
【構造の説明】
第１図は、長めの筒型でバネを拘束した斜視図である。図には表してないけれど更に安全の為、筒型下部の部分の位置で筒とぜんまいバネ９・９’を結束バンドでしめる。
第２図は、第１図のＡの方向から見た図である。１０は長めのナット、９は１０のナットの下部にぜんまいバネを巻き付けて拘束した状態である。
第３図は、第１図のＡの方向からみた断面図である。
第４図は、ほぞ穴の中に長めのナットを有するぜんまいバネ本体を取り付けたものである。
近年は、外壁が貼り物で施工される為、ボルト自体が外に出て邪魔しない様に木部にほぞ穴を約直径６０ｍｍ位、深さ３０ｍｍ位で彫ってある。
その為、前回出願取得の特許第４２２１７４３号のやり方では対応できないし、狭い穴の中では取り付け作業ができない。
そこで本発明の装置を使用することにより、穴の外の作業のし易い所で簡単に取り付けができるものである。
第１図の１は突っ張り板で、ボルトを通す穴のあいた板２と、７の長めの筒型で切欠きがあるものと固着する。もう一方の３のタップをきった板と８の長めの筒型と固着する。１の突っ張り板を介し４のボルト２本を操作する事により、テコの原理で７・８が締結したり開閉ができ、保持枠は周上の少なくとも２ヶ所１２のところが開閉できる。
直径６０ｍｍ位の丸いほぞ穴に既にはめてあるナットをはずし、本発明のほぞ穴用ナット増し締め装置本体の長めのナット部分をナットをはずしたボルトにはめ込み、手で回るだけ締める。次に第１図の上部開口部Ｂからラチェット等の工具を差し込み、本体の長めのナット上部を増し締めし、第２図のアで木材とバネ９の曲がり部分９’を緊結する。その後カッターナイフ等で結束バンドを切断する。
緊結したらほぞ穴より外の作業し易い所で、４のボルト２本を緩めると突っ張り板１とボルト４がテコの原理が解放され、長めの筒型が開き第４図の様に保持枠が外れて長めのナットのついたバネが残り、ここから、ぜんまいバネの効力が発揮できる。
その為、ほぞ穴の中にあるナットをいかにして増し締めするか、試行錯誤を重ねて考え出した結果、前回特許取得の第４２２１７４３号と前々回特許取得の第１７３４８０６号も仕組み、形態は酷似しているようだがこれらの特許取得分の範囲では対応できないのではないかとの思いで今回新たに出願する事に至った。ほぞ穴が小さいので有効活用する為、長めのナットの下部にぜんまいバネを巻きつけた尾端を木材に止めるようにＵ字型に曲げた。
【施行方法の説明】
次に本願のほぞ穴用ナット増し締め装置の使用方法を説明する。
木造建築物に使用させているボルト・ナット締結部において、ボルトの頭が空回りしない処置を施し、既存のナットをボルトから外してそのボルトに本装置の長めのナット部分をはめ込み、手で回るだけ締める。次に第１図の上部開口部Ｂからラチェット等の工具を差し込み、長めのナット部分の上部を増し締めする。
ぜんまいバネのＵ字型に曲げた尾端９’をアで木部と固着する。
その後、結束バンドをカッターナイフ等で切断する。
次に、４のボルト２本を緩める事により、１の突っ張り板を介したテコの原理が緩み長めの筒型７・８が開く。この時点からぜんまいバネの反発力による締め付け力がナットに働く。
更に、４のボルト２本を緩めると長めの筒型７・８を外す事が容易になり、長めの筒型７・８を取り外す。しかも前回特許取得第４２２１７４３号と同じように今回のほぞ穴用ナット増し締め装置も安全に施工できるのも特徴の一つである。
【図面の簡単な説明】
【図１】第１図は、本発明の斜視図であり、長めのナットにぜんまいバネを巻きつけて付勢したものである。
【図２】第２図は、第１図のＡの方向から見た図であり、木材のほぞ穴イのボルト１１に本装置の長めのナット１０をネジ込み、アで木材と固着させた図である。
【図３】第３図は、第１図のＡの方向から見た木材のほぞ穴部分に本装置を取り付けた斜視図である。
【図４】第４図は、ほぞ穴部分に本装置を取り付け後、枠体を外した状態の図である。１．突っ張り板  ２．ボルト４の通る穴を大きめにあけた板  ３．４のボルトが通るタップをきった板  ４．ボルト  ５・６．固着した部分  ７．長めの筒型でぜんまいバネの尾端を取り出す為の切り欠きを有する保持枠  ８．７の長めの筒型と１対になる物  ９．ぜんまいバネ  ９’．木部と緊結する為にぜんまいバネの尾端をＵ字型に曲げた部分  １０．長めのナット  １１．木部に取り付けてある既存のボルト  １２．７・８の長めの筒型は４のボルトを操作することにより開閉する部分  ア  ９’の曲げた部分を使い、ぜんまいバネと木部を緊結する  イ  ほぞ穴を彫ってある木材  Ａ  本装置を見た方向を指す  Ｂ  本装置の上部の開口部で、レンチ等の工具を差し込む場所である。
【図５】第５図の様な方法も可能である。保持枠切断部の面々までボルトの取り付け板を固着する事も可。
【図１】
2020029952.tif 000003
【図２】
2020029952.tif 000004
【図３】
2020029952.tif 000005
【図４】
2020029952.tif 000006
【図５】
2020029952.tif 000007